(57)【要約】【課題】搬送ローラー（レジストローラー）と清掃体との当接部分に溜まった異物を除去するための専用の作業を不要とし、溜まった異物がそのまま放置されるのを抑制することが可能なシート搬送装置を提供する。【解決手段】歯欠けギア７４は、回動フレーム７１が閉位置にあるときには、レジストギア７３との連結が解除されており、回動フレーム７１の閉位置から開位置への回動により、レジストギア７３と連結し、レジストローラー２３ｂを用紙Ｐの搬送時とは逆方向に回転させる。【選択図】図６
2015009932.tif 000002
【特許請求の範囲】
【請求項１】
固定フレームと、
前記固定フレームに、一端を回動支点として開閉可能に支持され、閉位置において、前記固定フレームと共にシート搬送路を形成するとともに、前記閉位置から開位置に回動することにより、前記シート搬送路の内側を露出させる回動フレームと、を備え、
前記回動フレームは、
前記閉位置において、前記固定フレームに設けられた他方の搬送ローラーとニップを形成し、回転することによりシートを搬送する一方の搬送ローラーと、
前記一方の搬送ローラーは一体回転可能な搬送ギアを含み、
前記一方の搬送ローラーの周面を摺擦する清掃体と、
回転可能に支持され、前記搬送ギアと連結および連結解除可能な伝達ギアと、を含み、
前記固定フレームは、
前記回動フレームの前記閉位置から前記開位置への回動により、前記伝達ギアと連結し、前記伝達ギアを回転させる固定ギアを含み、
前記伝達ギアは、前記回動フレームが前記閉位置にあるときには、前記搬送ギアとの連結が解除されており、前記回動フレームの前記閉位置から前記開位置への回動により、前記搬送ギアと連結し、前記一方の搬送ローラーをシート搬送時とは逆方向に回転させることを特徴とするシート搬送装置。
【請求項２】
前記伝達ギアは、ギア歯が欠損した欠損部を一部に有し、
前記伝達ギアは、前記回動フレームが前記閉位置にあるときには、前記欠損部が前記搬送ギアと対向することで前記搬送ギアとは連結せず、前記回動フレームの前記閉位置から前記開位置への回動により、回転して前記搬送ギアと連結することを特徴とする請求項１に記載のシート搬送装置。
【請求項３】
前記清掃体は、前記一方の搬送ローラーが回転することにより前記一方の搬送ローラーに付着した異物を掻き取り、
前記回動フレームには、前記回動フレームが前記閉位置から前記開位置に回動したときに、前記清掃体により掻き取られた前記異物を落下させて受けるための凹部が設けられていることを特徴とする請求項１または２に記載のシート搬送装置。
【請求項４】
前記回動フレームが前記開位置まで回動したときに、前記凹部の開口が前記清掃体の下方に至るように、前記回動フレームに前記凹部が設けられていることを特徴とする請求項３に記載のシート搬送装置。
【請求項５】
前記固定フレームは樹脂製であり、
前記固定ギアは、前記固定フレームと一体成形されていることを特徴とする請求項１〜４のいずれか１項に記載のシート搬送装置。
【請求項６】
請求項１〜５のいずれか１項に記載のシート搬送装置と、
前記シート搬送装置により搬送されるシートにトナー像を転写するための転写ニップを有する転写部と、を備え、
前記一方の搬送ローラーおよび前記他方の搬送ローラーは、前記転写ニップのシート搬送方向の上流側に配置されるレジストローラー対を構成することを特徴とする画像形成装置。
【発明の詳細な説明】
【技術分野】
【０００１】
本発明は、画像が印刷される用紙などのシートを搬送するためのシート搬送装置およびそれを備えた画像形成装置に関する。
【背景技術】
【０００２】
用紙（シート）に画像を印刷して出力する画像形成装置には、用紙を搬送するためのシート搬送装置が組み込まれる。このような画像形成装置では、用紙搬送路に沿って搬送ローラーを設置し、その搬送ローラーを回転させることによって用紙を搬送する。
【０００３】
搬送ローラーは、用紙と当接し、用紙との間の摩擦力によって用紙を搬送する。このとき、搬送ローラーと用紙とが擦れることによって紙粉が発生し、その紙粉が搬送ローラーに付着する。また、用紙の搬送時には、用紙搬送路と用紙とが擦れるので、そのときにも紙粉が発生して搬送ローラーに付着する。そこで、従来では、搬送ローラーを清掃するための技術が種々提案されている。たとえば、特許文献１では、スポンジからなる清掃体を搬送ローラーに当接させている。これにより、用紙搬送時に搬送ローラーが回転すると、搬送ローラーに付着した紙粉が清掃体によって掻き取られる。
【先行技術文献】
【特許文献】
【０００４】
【特許文献１】特開平７−２１００４４号公報
【発明の概要】
【発明が解決しようとする課題】
【０００５】
搬送ローラーに清掃体を当接させておくと、搬送ローラーと清掃体との当接部分に紙粉が徐々に溜まっていく。このように紙粉が溜まっていくと、紙粉が押し固められて塊となる。そして、紙粉の塊が搬送ローラーと清掃体との当接部分をすり抜けて搬送中の用紙に移り、用紙と共に搬送されてしまうことがある。この場合には、感光体ドラムや転写ローラーなどに紙粉の塊が付着して、画質の低下を引き起こす。このため、搬送ローラーと清掃体との当接部分に溜まっていく紙粉を除去しなければならない。
【０００６】
そこで、特許文献１では、清掃体を支持するための支持部材を搬送ローラーの近傍に配置している。そして、支持部材に対して清掃体を着脱可能としている。これにより、支持部材から清掃体を取り外すことで、搬送ローラーと清掃体との当接部分に溜まった紙粉を除去することができる。
【０００７】
しかし、ユーザーは、紙粉除去作業（清掃体を取り外して搬送ローラーと清掃体との当接部分に溜まった紙粉を除去する作業）が必要な程の紙粉が溜まっているか否かの判断ができない。したがって、紙粉除去作業が必要な程の紙粉が溜まっていたとしても、紙粉除去作業が行われないまま放置されてしまう場合がある。また、搬送ローラーと清掃体との当接部分に溜まった紙粉を除去するための専用の作業（紙粉除去作業）を行わなければならないのは、ユーザーにとって煩わしく利便性が悪い。
【０００８】
本発明は、上記課題を解決するためになされたものであり、搬送ローラーに付着した異物（紙粉など）を掻き取るための清掃体を搬送ローラーに当接させておく構成において、搬送ローラーと清掃体との当接部分に溜まった異物を除去するための専用の作業を不要とし、搬送ローラーと清掃体との当接部分に溜まった異物がそのまま放置されるのを抑制することが可能なシート搬送装置およびそれを備えた画像形成装置を提供することを目的とする。
【課題を解決するための手段】
【０００９】
上記目的を達成するために、本発明のシート搬送装置は、固定フレームと、固定フレームに、一端を回動支点として開閉可能に支持され、閉位置において、固定フレームと共にシート搬送路を形成するとともに、閉位置から開位置に回動することにより、シート搬送路の内側を露出させる回動フレームと、を備える。回動フレームは、閉位置において、固定フレームに設けられた他方の搬送ローラーとニップを形成し、回転することによりシートを搬送する一方の搬送ローラーと、一方の搬送ローラーは一体回転可能な搬送ギアを含み、一方の搬送ローラーの周面を摺擦する清掃体と、回転可能に支持され、搬送ギアと連結および連結解除可能な伝達ギアと、を含む。固定フレームは、回動フレームの閉位置から開位置への回動により、伝達ギアと連結し、伝達ギアを回転させる固定ギアを含む。そして、伝達ギアは、回動フレームが閉位置にあるときには、搬送ギアとの連結が解除されており、回動フレームの閉位置から開位置への回動により、搬送ギアと連結し、一方の搬送ローラーをシート搬送時とは逆方向に回転させる。
【００１０】
本発明の構成では、回動フレームが閉位置（固定フレームと共にシート搬送路を形成する位置）から開位置に回動することにより、シート搬送路の内側が露出する。したがって、シート搬送路において紙詰りが発生すると、シート搬送路での紙詰りを解消するためのジャム処理作業を行うため、回動フレームが閉位置から開位置に回動される。このとき、回動フレームが閉位置から開位置に向けて回動するのに伴い、一方の搬送ローラーがシート搬送時とは逆方向に回転する。このため、一方の搬送ローラーによるシートの搬送時に清掃体によって掻き取られた異物（一方の搬送ローラーの周面に付着していた異物）が一方の搬送ローラーと清掃体との当接部分に溜まっていたとしても、その異物がシート搬送時とは逆方向に回転する一方の搬送ローラーによって掻き出される。
【００１１】
これにより、ジャム処理作業を行うために回動フレームを閉位置から開位置に回動させると、一方の搬送ローラーと清掃体との当接部分に溜まった異物が除去される。したがって、一方の搬送ローラーと清掃体との当接部分に溜まった異物を除去するための専用の作業が不要となる。また、ジャム処理作業を行うとき（回動フレームを閉位置から開位置に回動させたとき）に一方の搬送ローラーと清掃体との当接部分に溜まった異物が除去されるので、一方の搬送ローラーと清掃体との当接部分に溜まった異物がそのまま放置されるのを抑制することができる。
【発明の効果】
【００１２】
以上のように、本発明によれば、搬送ローラーと清掃体との当接部分に溜まった異物を除去するための専用の作業が不要となる。また、搬送ローラーと清掃体との当接部分に溜まった異物がそのまま放置されるのを抑制することができる。
【図面の簡単な説明】
【００１３】
【図１】本発明の一実施形態による画像形成装置（シート搬送装置）の概略図
【図２】図１に示した画像形成装置の清掃体と当接する搬送ローラー周辺の拡大図
【図３】図１に示した画像形成装置の装置カバーが開放された状態の図
【図４】図１に示した画像形成装置の清掃体と当接する搬送ローラーをシート搬送時とは逆方向に回転させるための搬送ギアおよび伝達ギアの斜視図（回動フレームの部分斜視図）
【図５】図１に示した画像形成装置の清掃体と当接する搬送ローラーをシート搬送時とは逆方向に回転させるための固定ギアの斜視図（固定フレームの部分斜視図）
【図６】図１に示した画像形成装置の回動フレームが閉位置に保持されているときのギア列（搬送ギア、伝達ギアおよび固定ギア）の状態図
【図７】図６の状態から回動フレームを開位置に向けて回動させたときのギア列（搬送ギア、伝達ギアおよび固定ギア）の状態図
【図８】図６の状態から回動フレームを閉位置に向けて回動させたときの清掃体と当接する搬送ローラー周辺の状態図
【図９】図６の状態から回動フレームを開位置まで回動させたときのギア列（搬送ギア、伝達ギアおよび固定ギア）の状態図
【図１０】図６の状態から回動フレームを開位置まで回動させたときの清掃体と当接する搬送ローラー周辺の状態図
【図１１】図１０に示した回動フレームから凹部を省略した場合の図
【発明を実施するための形態】
【００１４】
以下に、本発明の一実施形態について、タンデム方式のカラーレーザープリンターを例にとって説明する。
【００１５】
図１に示すように、本実施形態の画像形成装置１００は、用紙Ｐ（本発明の「シート」に相当）を搬送し、その用紙Ｐに画像を印刷する。すなわち、画像形成装置１００には、用紙Ｐを搬送するためのシート搬送装置が組み込まれている。
【００１６】
具体的には、画像形成装置１００は、給紙部１０１、用紙搬送部１０２、画像形成部１０３、中間転写部１０４、定着部１０５および手差し給紙部１０６を備える。また、画像形成装置１００は、用紙Ｐを搬送するための用紙搬送路として、第１搬送路Ｐ１、第２搬送路Ｐ２および第３搬送路Ｐ３を有する。このうち、第１搬送路Ｐ１は、本発明の「シート搬送路」に相当する。なお、第２搬送路Ｐ２は、両面印刷時に用紙Ｐの表裏を反転させるための反転用の搬送路である。また、第３搬送路Ｐ３は、手差し給紙された用紙Ｐを搬送するための手差し用の搬送路である。
【００１７】
給紙部１０１は、用紙Ｐが収容される用紙カセット１１を含む。そして、給紙部１０１は、用紙カセット１１内に収容された用紙Ｐを第１搬送路Ｐ１に供給する。この給紙部１０１には、用紙カセット１１内に収容された用紙Ｐを引き出すためのピックアップローラー１２が設けられている。また、給紙部１０１には、用紙カセット１１内から引き出された用紙Ｐを１枚ずつに分離して第１搬送路Ｐ１に供給するための給紙ローラー対１３が設けられている。
【００１８】
用紙搬送部１０２は、第１搬送路Ｐ１に供給された用紙Ｐを転写ニップおよび定着ニップの順番で搬送し、排出トレイ２１に排出する。この用紙搬送部１０２は、第１搬送路Ｐ１に沿って用紙Ｐを搬送するための搬送ローラー対２２を複数含む。複数の搬送ローラー対２２のうち転写ニップの直前の搬送ローラー対２２は、用紙Ｐを転写ニップの手前で待機させ、トナー像の形成および転写にタイミングを合わせて転写ニップに送り出す。以下の説明では、この搬送ローラー対２２をレジストローラー対２３と称する場合がある。また、複数の搬送ローラー対２２のうち排出トレイ２１に最も近い搬送ローラー対２２は、両面印刷時に逆回転し、用紙Ｐを第２搬送路Ｐ２に導く。以下の説明では、この搬送ローラー対２２を排出ローラー対２４と称する場合がある
【００１９】
レジストローラー対２３は、図２に示すように、レジストローラー２３ａおよび２３ｂで構成される。レジストローラー２３ａは、駆動ローラーであり、モーター（図示せず）から駆動力が伝達されて回転する。レジストローラー２３ｂは、従動ローラーであり、レジストローラー２３ａに圧接し、用紙Ｐを搬送するための搬送ニップを形成するとともに、レジストローラー２３ａに従動して回転する（レジストローラー２３ａの回転方向とは逆のＡ１方向に回転する）。搬送ニップが形成された状態は用紙搬送（印刷）が可能な状態であり、搬送ニップに用紙Ｐが進入すると、レジストローラー対２３によって用紙Ｐが搬送される。
【００２０】
また、レジストローラー２３ａは、装置本体のフレームである固定フレーム１１１に回転可能に支持されており、レジストローラー２３ｂは、後述する搬送ユニット１０７のフレームである回動フレーム７１に回転可能に支持されている。回動フレーム７１というのは、回動軸７２を回動支点として、Ａ２方向（用紙搬送時のレジストローラー２３ｂの回転方向と同じ方向）およびＡ２方向とは逆のＢ２方向に回動可能（開閉可能）に固定フレーム１１１に取り付けられたフレームである。
【００２１】
レジストローラー２３ｂの近傍には、レジストローラー２３ｂを清掃するための清掃体２５が設けられている。清掃体２５は、スポンジなどの発泡部材や樹脂製のブレードからなり、レジストローラー２３ｂに常に当接している。これにより、レジストローラー２３ｂが回転すると、レジストローラー２３ｂに付着した紙粉などの異物２００が清掃体２５によって掻き取られる。すなわち、レジストローラー２３ｂがＡ１方向に回転している用紙搬送時（印刷時）にレジストローラー２３ｂの清掃が行われる。この構成においては、レジストローラー２３ｂが本発明の「一方の搬送ローラー」に相当する。すなわち、レジストローラー２３ａは本発明の「他方の搬送ローラー」に相当する。
【００２２】
なお、清掃体２５によって掻き取られた異物２００は、後述する凹部７５に落下して溜まっていくが、レジストローラー２３ｂと清掃体２５との当接部分（窪み）に溜まったまま凹部７５に落下しない場合もある。
【００２３】
図１に戻って、用紙搬送部１０２は、第２搬送路Ｐ２に沿って用紙Ｐを搬送するための反転用ローラー対２６を複数含む。さらに、用紙搬送部１０２は、第３搬送路Ｐ３に沿って用紙Ｐを搬送するための手差し用ローラー対２７を複数含む。
【００２４】
画像形成部１０３は、ブラック、イエロー、シアンおよびマゼンタの各色のトナー像を形成するトナー像形成部３１Ｂｋ、３１Ｙ、３１Ｃおよび３１Ｍ（以下、総じて単にトナー像形成部３１と称する場合がある）を含む。トナー像形成部３１は、感光体ドラム１、帯電装置２、現像装置３およびドラム清掃装置４を有する。また、画像形成部１０３は、露光用の光Ｌを発光して感光体ドラム１の表面に静電潜像を形成する露光装置５を有する。なお、ブラック、イエロー、シアンおよびマゼンタの各色のトナーは、それぞれ、トナーコンテナー３２Ｂｋ、３２Ｙ、３２Ｃおよび３２Ｍに収容される。
【００２５】
中間転写部１０４は、無端状の中間転写ベルト４１を含む。中間転写ベルト４１の内側には、ブラック、イエロー、シアンおよびマゼンタの各色に対応する１次転写ローラー４２Ｂｋ、４２Ｙ、４２Ｃおよび４２Ｍ（以下、総じて単に１次転写ローラー４２と称する場合がある）が配置され、対応する色の感光体ドラム１との間で中間転写ベルト４１を挟み込んでいる。また、中間転写ベルト４１の内側には、駆動ローラー４３および従動ローラー４４が配置され、１次転写ローラー４２と共に中間転写ベルト４１を張架している。そして、駆動ローラー４３との間で中間転写ベルト４１を挟み込むように２次転写ローラー４５が配置される。これにより、中間転写ベルト４１と２次転写ローラー４５とにより転写ニップが形成される。すなわち、中間転写部１０４は、本発明の「転写部」に相当する。
【００２６】
画像形成部１０３により形成された各色のトナー像（感光体ドラム１の表面のトナー像）は、１次転写ローラー４２に転写電圧が印加されることにより、順次、ずれなく重畳して中間転写ベルト４１に１次転写される。その後、中間転写ベルト４１に１次転写されたトナー像は、２次転写ローラー４５に転写電圧が印加されることより、用紙Ｐに２次転写される。２次転写の後、ベルト清掃装置４６によって中間転写ベルト４１の清掃が行われる。
【００２７】
定着部１０５は、用紙Ｐに転写されたトナー像を加熱および加圧して定着させる。この定着部１０５は、加熱ローラー５１および加圧ローラー５２を含む。加熱ローラー５１は、発熱源を内蔵する。加圧ローラー５２は、加熱ローラー５１に圧接し、加熱ローラー５１との間で定着ニップを形成する。そして、トナー像が転写された用紙Ｐは、定着ニップを通過することにより、加熱および加圧される。これにより、用紙Ｐにトナー像が定着され、印刷が完了する。印刷済みの用紙Ｐは、排出ローラー対２４によって排出トレイ２１に送られる。ただし、両面印刷を行うときには、定着ニップを通過した用紙Ｐ（片面印刷された用紙Ｐ）が第２搬送路Ｐ２に送られる。
【００２８】
両面印刷を行う場合、切替爪ＳＣは、定着部１０５から送られる用紙Ｐ（片面印刷された用紙Ｐ）が第２搬送路Ｐ２に進入しないように第２搬送路Ｐ２の進入口を塞ぐ。これにより、定着部１０５から送られる用紙Ｐが排出トレイ２１に導かれる。このとき、排出ローラー対２４は、ひとまず正回転して用紙Ｐの一部分を排出トレイ２１に排出し、用紙Ｐの後端が通過しきる前に逆回転する。また、切替爪ＳＣは、第２搬送路Ｐ２の進入口を開く。これにより、片面印刷された用紙Ｐは、その後端から第２搬送路Ｐ２に導かれる。この後、片面印刷された用紙Ｐは、反転用ローラー対２６により第２搬送路Ｐ２に沿って搬送され、レジストローラー対２３の用紙搬送方向の上流側に至る（第１搬送路Ｐ１に供給される）。このときには、用紙Ｐの表裏が反転しているので、用紙Ｐの裏面（未印刷面）に対して印刷が行われる。
【００２９】
手差し給紙部１０６は、手差しトレイ６１を含む。この手差しトレイ６１は、装置本体に対して回動可能（開閉可能）に取り付けられている。これにより、手差しトレイ６１を使用しないときには、手差しトレイ６１を収納することができる（図３参照）。
【００３０】
そして、手差し給紙部１０６は、手差しトレイ６１に載置された用紙Ｐを第３搬送路Ｐ３に供給する。この手差し給紙部１０６には、手差しトレイ６１に載置された用紙Ｐを引き出すためのピックアップローラー６２が設けられている。また、手差し給紙部１０６には、手差しトレイ６１から引き出される用紙Ｐを１枚ずつに分離して第３搬送路Ｐ３に供給するための給紙ローラー対６３が設けられている。これにより、第３搬送路Ｐ３に供給された用紙Ｐは、手差し用ローラー対２７によって搬送されることにより、レジストローラー対２３に至る（第１搬送路Ｐ１に供給される）。
【００３１】
また、図１および図３に示すように、画像形成装置１００の第２搬送路Ｐ２側に位置する壁部は、装置本体に対して回動可能（開閉可能）に取り付けられた装置カバー１００ＣＶで構成される。この装置カバー１００ＣＶは、反転用ローラー対２６を成す反転用ローラー２６ａおよび２６ｂのうち一方の反転用ローラー２６ａを保持する。そして、用紙搬送時（印刷時）には、装置カバー１００ＣＶは閉じられた状態（図１の状態）とされる。一方で、装置カバー１００ＣＶが開けられ状態（図３の状態）では、第２搬送路Ｐ２が露出する（後述する搬送ユニット１０７が露出する）。したがって、第２搬送路Ｐ２において紙詰りが発生した場合、装置カバー１００ＣＶを開けることにより、紙詰りを解消するためのジャム処理作業を容易に行うことができる。なお、装置カバー１００ＣＶが開けられた状態では、用紙搬送（印刷）は行えない。
【００３２】
図３に示すように、装置カバー１００ＣＶが開けられることで露出する搬送ユニット１０７は、反転用ローラー２６ｂ、レジストローラー２３ｂ、清掃体２５および２次転写ローラー４５などをユニット化したものである。具体的には、図４に示すような回動フレーム７１に搬送ユニット１０７を構成する各部材（反転用ローラー２６ｂ、レジストローラー２３ｂ、清掃体２５および２次転写ローラー４５など）が取り付けられ、それによってユニット化されている。なお、反転用ローラー２６ｂ、レジストローラー２３ｂおよび２次転写ローラー４５は、回動フレーム７１に回転可能に支持される。
【００３３】
回動フレーム７１は、一端に回動軸７２を有する。この回動軸７２は、固定フレーム１１１に設けられた嵌合穴１１２（図５参照）に嵌め込まれて支持される。これによって、回動フレーム７１は、図２に示したように、回動軸７２を回動支点として、Ａ２方向（用紙搬送時におけるレジストローラー２３ｂの回転方向と同じ方向）およびＢ２方向に回動可能（開閉可能）となっている。すなわち、搬送ユニット１０７がＡ２方向およびＢ２方向に回動可能になっている。以下の説明では、搬送ユニット１０７をＡ２方向に回動させていないときの搬送ユニット１０７の回動位置を閉位置と称する。なお、搬送ユニット１０７のＡ２方向への回動の限界位置は、たとえば、閉位置からＡ２方向に約９０°回動させた位置である。以下の説明では、搬送ユニット１０７をＡ２方向に約９０°回転させたときの搬送ユニット１０７の回動位置を開位置と称する。
【００３４】
搬送ユニット１０７を閉位置に保持すると、レジストローラー２３ｂがレジストローラー２３ａに圧接して搬送ニップを形成し、２次転写ローラー４５が中間転写ベルト４１に圧接して転写ニップを形成する（図２の状態）。そして、回動フレーム７１と固定フレーム１１１とで第１搬送路Ｐ１が形成される。すなわち、閉位置というのは、用紙搬送が可能な位置である。
【００３５】
そして、搬送ユニット１０７を閉位置から開位置に向けて回動させると、レジストローラー２３ｂがレジストローラー２３ａから離間し、２次転写ローラー４５が中間転写ベルト４１から離間する（図８および図１０の状態）。そして、第１搬送路Ｐ１の内側が露出する。したがって、第１搬送路Ｐ１において紙詰りが発生した場合、搬送ユニット１０７を閉位置から開位置に向けて回動させることにより、紙詰りを解消するためのジャム処理作業を容易に行うことができる。
【００３６】
ここで、図５に示すように、固定フレーム１１１には、嵌合穴１１２をギア中心とするギア形状部１１３が回転しないように固定されている。このギア形状部１１３は、セクターギアであり、嵌合穴１１２（回動フレーム７１の回動支点）を中心とする円周の一部（円弧）に沿って配列された複数のギア歯を有する。たとえば、嵌合穴１１２を中心とする円周の全周に渡って複数のギア歯を配列したものをギア形状部１１３としてもよい。また、固定フレーム１１１が樹脂製であれば、部品点数を削減するため、ギア形状部１１３を固定フレーム１１１と一体成形してもよい。なお、ギア形状部１１３は、本発明の「固定ギア」に相当する。
【００３７】
また、図４に示すように、回動フレーム７１には、レジストローラー２３ｂと共にレジストローラー２３ｂと同方向に一体回転するレジストギア７３が回転可能に支持されている。このレジストギア７３は、レジストローラー２３ｂの回転軸の端部に設けられる。なお、レジストギア７３は、本発明の「搬送ギア」に相当する。
【００３８】
さらに、回動フレーム７１には、ギア歯が欠損した欠損部７４ａを有する歯欠けギア７４が回転可能に支持されている。この歯欠けギア７４は、回動フレーム７１が固定フレーム１１１に回動可能に支持された状態において、ギア形状部１１３と常に噛み合うように、レジストギア７３とギア形状部１１３との間に配置される。なお、歯欠けギア７４は、本発明の「伝達ギア」に相当する。
【００３９】
そして、図６に示すように、搬送ユニット１０７（回動フレーム７１）が閉位置に保持された状態では、ギア形状部１１３は、歯欠けギア７４と噛み合っている（連結している）。一方で、レジストギア７３は、欠損部７４ａと対向していることにより歯欠けギア７４とは噛み合っていない（連結していない）。これにより、用紙搬送時におけるレジストローラー２３ｂのＡ１方向の回転が阻害されない。すなわち、用紙搬送時には、図２に示したように、レジストローラー２３ｂはレジストローラー２３ａに従動してＡ１方向に回転する。また、レジストローラー２３ｂがＡ１方向に回転することで、清掃体２５によってレジストローラー２３ｂに付着した異物Ｄが掻き取られる。そして、その異物２００は、後述する凹部７５に落下して溜まっていく。あるいは、凹部７５に落下せず、レジストローラー２３ｂと清掃体２５との当接部分（窪み）に溜まっていく。
【００４０】
一方で、図７に示すように、搬送ユニット１０７（回動フレーム７１）が閉位置から開位置に向けて回動すると、回動フレーム７１と共にレジストギア７３および歯欠けギア７４も回動軸７２を回動支点として回動する。ここで、歯欠けギア７４は、ギア形状部１１３と常に噛み合っている。そして、ギア形状部１１３は、回転しないように固定フレーム１１１に固定されている。したがって、搬送ユニット１０７（回動フレーム７１）が閉位置から開位置に向けて回動すると、歯欠けギア７４は、ギア形状部１１３と噛み合っていることによりＡ１方向に回転する（レジストギア７３に対する欠損部７４ａの位置がＡ１方向にずれていく）。そのまま搬送ユニット１０７の閉位置から開位置に向けての回動が続くと、レジストギア７３は、Ａ１方向に回転する歯欠けギア７４と噛み合う（連結する）。それによって、レジストギア７３は、Ｂ１方向に回転し始める。これにより、図８に示すように、レジストギア７３と共にレジストローラー２３ｂがＢ１方向に回転する。そして、搬送ユニット１０７（回動フレーム７１）が閉位置から開位置まで回動されると、図９および図１０に示す状態となる。
【００４１】
図８および図１０に示したように、搬送ユニット１０７（回動フレーム７１）が閉位置から開位置に向けて回動すると、異物２００が溜まっているレジストローラー２３ｂと清掃体２５との当接部分（窪み）が徐々に下方に向いていく。そして、このときには、レジストローラー２３ｂがＢ１方向に回転している。これにより、レジストローラー２３ｂと清掃体２５との当接部分に溜まった異物２００がＢ１方向に回転するレジストローラー２３ｂによって掻き出され、下方に落下する。
【００４２】
しかし、たとえば、図１１に示すように、回動フレーム７１の一部がレジストローラー２３ｂと清掃体２５との当接部分に接近していると、レジストローラー２３ｂと清掃体２５との当接部分（窪み）に溜まった異物２００を下方に落下させることができない。このため、回動フレーム７１には、図８および図１０に示すように、回動フレーム７１が閉位置から開位置に回動したときに、レジストローラー２３ｂと清掃体２５との当接部分に溜まった異物２００を落下させて受けるための凹部７５が設けられている。この凹部７５は、回動フレーム７１が閉位置から開位置まで回動したときに、凹部７５の開口が清掃体２５の下方に至るように配置されている。また、凹部７５は、回動フレーム７１が閉位置に保持されているときに、凹部７５に溜まった異物がこぼれ落ちない構造とされている。
【００４３】
本実施形態の画像形成装置１００（シート搬送装置）は、上記のように、固定フレーム１１１と、固定フレーム１１１に、一端を回動支点として開閉可能に支持され、閉位置において、固定フレーム１１１と共に第１搬送路Ｐ１（シート搬送路）を形成するとともに、閉位置から開位置に回動することにより、第１搬送路Ｐ１の内側を露出させる回動フレーム７１と、を備えている。回動フレーム７１は、閉位置において、固定フレーム１１１に設けられたレジストローラー２３ａ（他方の搬送ローラー）とニップを形成し、回転することにより用紙Ｐ（シート）を搬送するレジストローラー２３ｂ（一方の搬送ローラー）と、レジストローラー２３ｂは一体回転可能なレジストギア７３（搬送ギア）を含み、レジストローラー２３ｂの周面を摺擦する清掃体２５と、回転可能に支持され、レジストギア７３と連結および連結解除可能な歯欠けギア７４（伝達ギア）と、を含む。固定フレーム１１１は、回動フレーム７１の閉位置から開位置への回動により、歯欠けギア７４と連結し、歯欠けギア７４を回転させるギア形状部１１３（固定ギア）を含む。そして、歯欠けギア７４は、回動フレーム７１が閉位置にあるときには、レジストギア７３との連結が解除されており、回動フレーム７１の閉位置から開位置への回動により、回転してレジストギア７３と連結し、レジストローラー２３ｂを用紙搬送時とは逆方向に回転させる。
【００４４】
本実施形態の構成では、回動フレーム７１が閉位置（固定フレーム１１１と共に第１搬送路Ｐ１を形成する位置）から開位置に回動することにより、第１搬送路Ｐ１の内側が露出する。したがって、第１搬送路Ｐ１において紙詰りが発生すると、第１搬送路Ｐ１での紙詰りを解消するためのジャム処理作業を行うため、回動フレーム７１が閉位置から開位置に回動される。このとき、回動フレーム７１が閉位置から開位置に向けて回動するのに伴い、レジストローラー２３ｂがＡ１方向（用紙Ｐを下流側に搬送するときの回転方向）とは逆のＢ１方向に回転する。このため、レジストローラー２３ｂがＡ１方向に回転しているときに清掃体２５によって掻き取られた異物２００がレジストローラー２３ｂと清掃体２５との当接部分に溜まっていたとしても、その異物２００がＢ１方向に回転するレジストローラー２３ｂによって掻き出される。
【００４５】
これにより、ジャム処理作業を行うために回動フレーム７１を閉位置から開位置に回動させると、レジストローラー２３ｂと清掃体２５との当接部分に溜まった異物２００が除去される。したがって、レジストローラー２３ｂと清掃体２５との当接部分に溜まった異物２００を除去するための専用の作業が不要となる。また、ジャム処理作業を行うとき（回動フレーム７１を閉位置から開位置に回動させたとき）にレジストローラー２３ｂと清掃体２５との当接部分に溜まった異物２００が除去されるので、レジストローラー２３ｂと清掃体２５との当接部分に溜まった異物２００がそのまま放置されるのを抑制することができる。
【００４６】
なお、レジストローラー２３ｂは、転写ニップの用紙搬送方向の上流側に配置された搬送ローラーであり、搬送中の用紙Ｐが転写ニップに至る直前に当接する搬送ローラーである。したがって、このレジストローラー２３ｂを清掃体２５で清掃し、レジストローラー２３ｂと清掃体２５との当接部分に溜まった異物２００を除去することによって、異物２００が用紙Ｐと共に転写ニップに搬送されて２次転写ローラー４５に付着するのを抑制することができる。これにより、２次転写ローラー４５に異物２００が付着することに起因する画質の低下を抑制することができる。
【００４７】
また、本実施形態では、上記のように、回動フレーム７１には、回動フレーム７１が閉位置から開位置に回動したときに、清掃体２５により掻き取られた異物２００（レジストローラー２３ｂと清掃体２５との当接部分に溜まった異物２００）を落下させて受けるための凹部７５が設けられている。このように構成すれば、回動フレーム７１が閉位置から開位置に回動したときに、レジストローラー２３ｂと清掃体２５との当接部分に溜まった異物２００が落下するので、容易に、レジストローラー２３ｂと清掃体２５との当接部分に溜まった異物２００を除去することができる。また、レジストローラー２３ｂと清掃体２５との当接部分から落下した異物２００は凹部７５が受けるので、異物２００が周囲に飛散しない。
【００４８】
また、本実施形態では、上記のように、回動フレーム７１が閉位置から開位置まで回動したときに、凹部７５の開口が清掃体２５の下方に至るように、回動フレーム７１に凹部７５が設けられている。このように構成すれば、回動フレーム７１が閉位置から開位置まで回動したときに、確実に、凹部７５に異物２００を落下させることができる。
【００４９】
また、本実施形態では、上記のように、固定フレーム１１１が樹脂製である。そして、ギア形状部１１３は、固定フレーム１１１と一体成形されている。このように構成すれば、部品点数が増加するのを抑制することができる。
【００５０】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００５１】
２３ａ  レジストローラー（他方の搬送ローラー）
２３ｂ  レジストローラー（一方の搬送ローラー）
２５  清掃体
７１  回動フレーム
７３  レジストギア（搬送ギア）
７４  歯欠けギア（伝達ギア）
７４ａ  欠損部
７５  凹部
１００  画像形成装置
１０４  中間転写部（転写部）
１１１  固定フレーム
１１３  ギア形状部（固定ギア）
Ｐ１  第１搬送路（シート搬送路）
Ｐ  用紙（シート）
【図１】
2015009932.tif 000003
【図３】
2015009932.tif 000004
【図４】
2015009932.tif 000005
【図５】
2015009932.tif 000006
【図６】
2015009932.tif 000007
【図７】
2015009932.tif 000008
【図８】
2015009932.tif 000009
【図９】
2015009932.tif 000010
【図１０】
2015009932.tif 000011
【図１１】
2015009932.tif 000012
【図２】
2015009932.tif 000013